(57)【特許請求の範囲】
【請求項１】
変形可能な背凭れ部材を支持体に支持させてなり、
前記背凭れ部材の上方部位に、後背に前記支持体を配する中間領域と、中間領域の左方に連なり支持体と干渉することなく前後に変位可能な左方領域と、中間領域の右方に連なり支持体と干渉することなく前後に変位可能な右方領域とを設定し、
前記背凭れ部材と前記支持体とのうち一方に前後に離間した壁に挟まれ上下に拡張した空洞部を設け、他方に前記空洞部に挿入される挿入端を有した挿入部を設けて、これら空洞部と挿入部との係合により背凭れ部材と支持体との離反を阻んでおり、
前記背凭れ部材の上方部位にある左方領域及び右方領域の下方には前記支持体と接する部位が存在せず、
前記空洞部の内形は前後寸法よりも幅寸法の方が大きく、前記挿入部の挿入端の外形は前後寸法よりも幅寸法の方が大きく、
前記背凭れ部材の左方領域及び右方領域が前後変位可能であり、中間領域が前記支持体に対して上下方向にスライド可能でありながら、背凭れ部材が垂直軸回りに旋回するようなばたつきが抑制される椅子。
【請求項２】
変形可能な背凭れ部材を支持体に支持させてなり、
前記背凭れ部材の上方部位に、後背に前記支持体を配する中間領域と、中間領域の左方に連なり支持体と干渉することなく前後に変位可能な左方領域と、中間領域の右方に連なり支持体と干渉することなく前後に変位可能な右方領域とを設定し、
前記背凭れ部材と前記支持体とのうち一方に前後に離間した壁に挟まれ上下に拡張した空洞部を設け、他方に前記空洞部に挿入される挿入端を有した挿入部を設けて、これら空洞部と挿入部との係合により背凭れ部材と支持体との離反を阻んでおり、
前記背凭れ部材の上方部位にある左方領域及び右方領域の下方には前記支持体と接する部位が存在せず、
挿入部の挿入端が幅方向に間欠的に複数存在しており、それら挿入端を挿入する一または複数の空洞部を設けており、
前記背凭れ部材の左方領域及び右方領域が前後変位可能であり、中間領域が前記支持体に対して上下方向にスライド可能でありながら、背凭れ部材が垂直軸回りに旋回するようなばたつきが抑制される椅子。
【請求項３】
前記支持体が、前記背凭れ部材の下方部位を支持する下部支持体と、前記下部支持体とは独立に傾倒可能であり背凭れ部材の上方部位を支持する上部支持体とを備えており、
前記背凭れ部材の下方部位を前記下部支持体に固定するとともに、
前記背凭れ部材の上方部位と前記上部支持体とのうち一方に前記空洞部を設け、他方に前記挿入部を設けて、上部支持体の傾倒時に前記挿入端が空洞部内を摺動することを通じて両者の相対的なスライドを許容するスライド機構を構成した請求項１または２記載の椅子。
【請求項４】
前記支持体が、前記背凭れ部材の下方部位を支持する下部支持体と、前記下部支持体とは独立に傾倒可能であり背凭れ部材の上方部位を支持する上部支持体とを備えており、
前記背凭れ部材の上方部位を前記上部支持体に固定するとともに、
前記背凭れ部材の下方部位と前記下部支持体とのうち一方に前記空洞部を設け、他方に前記挿入部を設けて、前記上部支持体の傾倒時に前記挿入端が空洞部内を摺動することを通じて両者の相対的なスライドを許容するスライド機構を構成した請求項１または２記載の椅子。
【請求項５】
前記挿入端とこの挿入端が摺接する空洞部の前壁または後壁とのうち一方に、側面視他方に向けて膨出する曲面を成形している請求項３または４記載の椅子。
【請求項６】
前記上部支持体を所定角度以上傾倒させたときに前記挿入部の一部が前記空洞部を囲う壁の一部に当接する請求項３、４または５記載の椅子。
【請求項７】
前記空洞部を前記背凭れ部材に設ける場合において、背凭れ部材よりも固く変形しにくい摺接部材を背凭れ部材に取り付け、この摺接部材により空洞部の前壁を形成している請求項３、４、５または６記載の椅子。
【請求項８】
前記他方よりも摩擦係数の低い摺接部材を前記他方に取り付け、この摺接部材により空洞部の前壁または後壁を形成している請求項３、４、５または６記載の椅子。
【請求項９】
前記摺接部材が、左右の側壁と、両側壁の上端同士または下端同士を連絡する底壁とを有し、それら側壁及び底壁がそれぞれ前記他方に接合している請求項７または８記載の椅子。
【請求項１０】
前記空洞部が、前壁、後壁及び左右の側壁に包囲されかつその上端または下端が底壁により閉塞されたものであり、
前記挿入部が、前記一方に連接し前記他方に向けて突出する基端と、基端を足場にして上下に伸長する挿入端とを有し、その挿入端が下方または上方から前記空洞部内に進入するものである請求項１、２、３、４、５、６または７記載の椅子。
【請求項１１】
前記空洞部及び前記挿入部が前記上部支持体または前記下部支持体により後方から隠蔽されている請求項１、２、３、４、５、６、７、８、９または１０記載の椅子。
【請求項１２】
前記挿入部を前記他方に一体成形している請求項１、２、３、４、５、６、７、８、９、１０または１１記載の椅子。
【発明の詳細な説明】
【技術分野】
【０００１】
本発明は、着座者の身体の動きに追随して背凭れ面を変形させる機能を有した椅子に関する。
【背景技術】
【０００２】
左右両側に対をなすフレーム間に張材を架け渡して背凭れ面を形成した椅子が周知である。例えば、下記特許文献に開示されている椅子では、張材の上方部位を上部フレームに支持させ、張材の下方部位を下部フレームに支持させて、上部フレーム及び／または下部フレームの傾動操作を通じて背凭れ面の変形を惹起するようにしている。
【特許文献１】特開２００２−１１９３７５号公報
【発明の開示】
【発明が解決しようとする課題】
【０００３】
日常では、椅子に着座したままで振り向いたり、手を伸ばしたり、身体をねじったりすることが少なくない。その契機は、他者に呼びかけられてそちらの方を向く、後ろにある物品を手に取る、ストレッチで身体をほぐす等様々である。
【０００４】
上記例の如き椅子では、左右両側のフレームが横架材を介して相互に剛結され、これらフレームが一体的に前後動することから、背凭れ面の左側部のみ、または右側部のみを後方に変位させることができない。故に、着座者が後ろを振り向く等の動きに追随して背凭れ面を変形させることは難しく、着座者の所作を制限することにつながっていた。
【０００５】
以上に鑑みてなされた本発明は、簡便に組立可能な構造で背凭れ面の変形機能を実現することを主たる目的としている。
【課題を解決するための手段】
【０００６】
本発明では、変形可能な背凭れ部材を支持体に支持させてなり、前記背凭れ部材の上方部位に、後背に前記支持体を配する中間領域と、中間領域の左方に連なり支持体と干渉することなく前後に変位可能な左方領域と、中間領域の右方に連なり支持体と干渉することなく前後に変位可能な右方領域とを設定し、前記背凭れ部材と前記支持体とのうち一方に前後に離間した壁に挟まれ上下に拡張した空洞部を設け、他方に前記空洞部に挿入される挿入端を有した挿入部を設けて、これら空洞部と挿入部との係合により背凭れ部材と支持体との離反を阻んでおり、前記背凭れ部材の上方部位にある左方領域及び右方領域の下方には前記支持体と接する部位が存在せず、前記空洞部の内形は前後寸法よりも幅寸法の方が大きく、前記挿入部の挿入端の外形は前後寸法よりも幅寸法の方が大きく、前記背凭れ部材の左方領域及び右方領域が前後変位可能であり、中間領域が前記支持体に対して上下方向にスライド可能でありながら、背凭れ部材が垂直軸回りに旋回するようなばたつきが抑制される椅子を構成した。このようなものであれば、背凭れ面の左方領域のみ、または右方領域のみを後方に変位させることが可能となる。そして、着座者が後ろを振り向く等の動きに追随して背凭れ面を変形させることができ、着座者の所作を徒に制限せずその身体を好適に支持し続ける良好な座り心地が実現される。背凭れ部材に特段の伸縮性は要求されず、背凭れ部材として樹脂成形部材や樹脂成形部材にウレタンクッションを取り付けたもの等を使用できる。従って、伸縮性に富む張材をフレームに張り付ける煩瑣な工程も省かれる。
【０００７】
前記背凭れ部材と前記支持体とのうち一方に前後に離間した壁に挟まれ上下に拡張した空洞部を設け、他方に前記空洞部に挿入される挿入端を有した挿入部を設けて、これら空洞部と挿入部との係合により背凭れ部材と支持体との離反を阻むようにすれば、空洞部に挿入端を挿入する工数のみで、背凭れ部材の中間領域を支持体に支持させることができる。
【０００８】
前記支持体が、前記背凭れ部材の下方部位を支持する下部支持体と、前記下部支持体とは独立に傾倒可能であり背凭れ部材の上方部位を支持する上部支持体とを備えており、前記背凭れ部材の下方部位を前記下部支持体に固定するとともに、前記背凭れ部材の上方部位と前記上部支持体とのうち一方に前記空洞部を設け、他方に前記挿入部を設けて、上部支持体の傾倒時に前記挿入端が空洞部内を摺動することを通じて両者の相対的なスライドを許容するスライド機構を構成するものであれば、背凭れのチルト等の傾倒機能を実現することができる。
【０００９】
あるいは、上下関係を逆転させても構わない。即ち、前記支持体が、前記背凭れ部材の下方部位を支持する下部支持体と、前記下部支持体とは独立に傾倒可能であり背凭れ部材の上方部位を支持する上部支持体とを備えており、前記背凭れ部材の上方部位を前記上部支持体に固定するとともに、前記背凭れ部材の下方部位と前記下部支持体とのうち一方に前記空洞部を設け、他方に前記挿入部を設けて、前記上部支持体の傾倒時に前記挿入端が空洞部内を摺動することを通じて両者の相対的なスライドを許容するスライド機構を構成してもよい。
【００１０】
前記挿入端とこの挿入端が摺接する空洞部の前壁または後壁とのうち一方に、側面視他方に向けて膨出する曲面を成形しておけば、上部支持体の傾倒角度が変化するにつれて挿入端と空洞部の周壁との摺接点が変位し、適切に背凭れ部材がスライドするようになる。
【００１１】
前記上部支持体を所定角度以上傾倒させたときに前記挿入部の一部が前記空洞部を囲う壁の一部に当接するならば、上部支持体の傾倒する範囲を規制するストッパとなる。また、そのようなストッパ機能を具現する専用の部品を必要とせず、部品点数の徒な増大を招かない。
【００１２】
前記空洞部を前記背凭れ部材に設ける場合において、背凭れ部材よりも固く変形しにくい摺接部材を背凭れ部材に取り付け、この摺接部材により空洞部の前壁を形成しているならば、背凭れ部材が着座者の身体荷重を受けて撓み変形するとしても空洞部の前壁は保形され、挿入端の摺動を妨げない。
【００１３】
スライド機構における挿入端の円滑な摺動を担保するには、前記他方よりも摩擦係数の低い摺接部材を前記他方に取り付け、この摺接部材により空洞部の前壁または後壁を形成することが好適である。
【００１４】
前記摺接部材が、左右の側壁と、両側壁の上端同士または下端同士を連絡する底壁とを有し、それら側壁及び底壁がそれぞれ前記他方に接合しているならば、摺接部材の取り付けか強固になり、構造的に安定する。
【００１５】
具体的には、前記空洞部を、前壁、後壁及び左右の側壁に包囲されかつその上端または下端が底壁により閉塞されたものとし、前記挿入部を、前記一方に連接し前記他方に向けて突出する基端と、基端を足場にして上下に伸長する挿入端とを有し、その挿入端が下方または上方から前記空洞部内に進入するものとする。
【００１６】
前記空洞部の内形について前後寸法よりも幅寸法の方を大きく設定し、前記挿入部の挿入端の外形について前後寸法よりも幅寸法の方を大きく設定すれば、背凭れ部材が垂直軸回りに旋回するようなばたつき、がたつきを抑制できる。
【００１７】
また、本発明では、変形可能な背凭れ部材を支持体に支持させてなり、前記背凭れ部材の上方部位に、後背に前記支持体を配する中間領域と、中間領域の左方に連なり支持体と干渉することなく前後に変位可能な左方領域と、中間領域の右方に連なり支持体と干渉することなく前後に変位可能な右方領域とを設定し、前記背凭れ部材と前記支持体とのうち一方に前後に離間した壁に挟まれ上下に拡張した空洞部を設け、他方に前記空洞部に挿入される挿入端を有した挿入部を設けて、これら空洞部と挿入部との係合により背凭れ部材と支持体との離反を阻んでおり、前記背凭れ部材の上方部位にある左方領域及び右方領域の下方には前記支持体と接する部位が存在せず、挿入部の挿入端が幅方向に間欠的に複数存在しており、それら挿入端を挿入する一または複数の空洞部を設けており、前記背凭れ部材の左方領域及び右方領域が前後変位可能であり、中間領域が前記支持体に対して上下方向にスライド可能でありながら、背凭れ部材が垂直軸回りに旋回するようなばたつきが抑制される椅子を構成した。このようなものであっても、背凭れ部材の旋回を抑制できる。
【００１８】
スライド機構を露骨に表出させず、家具としての美観・格調を高めるには、前記空洞部及び前記挿入部が前記上部支持体または前記下部支持体により後方から隠蔽されることが望ましい。
【００１９】
前記挿入部を前記他方に一体成形していれば、椅子の組立工数の削減に資する。
【発明の効果】
【００２０】
本発明によれば、簡便に組立可能な構造で背凭れ面の変形機能を実現できる。
【発明を実施するための最良の形態】
【００２１】
以下、本発明の実施の形態を、図面を参照して説明する。本実施形態の椅子は、図１ないし図５に示すように、脚１１と、脚１１に載置した支基１２と、支基１２の後端部に軸４５回りに回動可能に軸支させた背支桿３と、前部を支基１２に、後部を背支桿３にそれぞれ支持させた座受２１と、座受２１に取り付けた座部材２２と、背支桿３に取り付けた背凭れ部材６とを備える。
【００２２】
本実施形態では、背支桿３の下部４と上部５とが別個の部材となっており、背凭れ部材６の下方部位を背支桿下部４に固定する一方、背凭れ部材６の上方部位を背支桿上部５に上下スライド可能に支持させている。その上で、背支桿上部５を、背支桿下部４とは独立に傾倒可能としている。
【００２３】
詳述すると、下部支持体たる背支桿下部４は、支基１２の両側面よりも外側方に位置する左右一対のフレーム体４１と、両フレーム体４１を剛結する複数の剛結軸４４、４６、４７と、フレーム体４１を直接外観できないよう被覆するカバー４２とを要素とする。背支桿下部４は、側面視支基１２に枢着する下端部から後上方に延伸し、その上端付近で前上方に屈曲した概形をなす。背支桿下部４の上端部には、背凭れ部材６の下方部位を取り付けるための被取付部４３を設ける。この被取付部４３には、ボルトやビス等の締着具７６を螺入せしめるナット孔（図示せず）を形成してある。
【００２４】
上部支持体たる背支桿上部５は、下端付近が背支桿下部４における左右のフレーム体４１の間に収まり、その下端付近を背支桿下部４の上端部に軸４８回りに回動可能に軸支させる。背支桿上部５は、側面視やや弓状に湾曲しながら上方に延伸している。下端部は、後下方に延出して背支桿下部４の後縁よりもオーバーハングする。
【００２５】
背支桿上部５の上端部の前面側には、挿入部５１を設ける。図６ないし図９に示すように、挿入部５１は、背支桿上部５の前面側に連接し前方に突出する基端５２と、基端５２を足場にして上方に伸長する挿入端５３とが側面視略Ｌ字形をなすものである。挿入端５３は、前後の厚みよりも左右の幅の方が大きい扁平体であり、後述する背凭れ部材６の空洞部に差し入る。挿入端５３の前面は、側面視前方に膨出している。背支桿上部５は、挿入部５１を含めて高強度の素材、例えばガラスナイロン製の一体成形品とする。
【００２６】
図２、図５に示しているように、背支桿下部４の下端部、支基１２の直下に所在する剛結軸４４は、支基１２との間に介在して背支桿３全体の後傾動作に相対する反力を生み出すコイルばねやガススプリング等の弾性部材１３の一端と連結する。背支桿下部４の中間付近の上縁側に所在する剛結軸４６は、座受２１の後部を回動可能に軸支する背座シンクロ軸となる。並びに、背支桿下部４の上端付近に所在する剛結軸４７は、背支桿上部５との間に介在して背支桿上部５のみの後傾動作に相対する反力を生み出す弾性部材１４の一端と連結する。この弾性部材１４の他端は、背支桿上部５の下端部に連結する。
【００２７】
背凭れ部材６は、着座者の背や腰を支える背凭れ面を形成し、着座者の身体荷重を受けて撓み変形し得る。背凭れ部材６は、構造部材であるアウターシェル７と、着座者の身体荷重を直接受けるインナーシェル８とを要素とする。
【００２８】
図１、図３、図６等、図７に示しているように、アウターシェル７は、上端部及び下端部を高さ方向の中間よりも後退させ、左右両側端部を幅方向の中央よりも前進させた三次元形状の板状体である。高さ方向の中間部にあるランバーサポート７１は、湾曲して前方に突き出す度合いが側面視背支桿上部５に比して大きい。ランバーサポート７１には、幅方向に延伸するスリット７２を穿設している。ランバーサポート７１よりも上方の部位には、多数の肉抜き孔７３を穿設している。アウターシェル７の一定面積内で肉抜き孔７３が占める割合である開口率は、アウターシェル７の上端部及び側端部に向かって漸次大きくなる。アウターシェル７の下端部には、背支桿下部４の被取付部４３に取り付けるための取付部７４を設ける。取付部７４は、背面よりも後方に大きく突出し、内空が前方に開口しているもので、その後壁には締着具７６を挿通する挿通孔７４１を穿設してある。
【００２９】
アウターシェル７の上方部位における中央、上端よりも所定寸法下がった箇所には肉抜き孔７３を穿設せず、替わりに凹陥部７５を成形する。図７ないし図９に示しているように、凹陥部７５は、前方に凹み後方に開口した形状をなす。凹陥部７５の左右の幅は、前後の奥行よりも大きい。凹陥部７５の側壁７５１、上壁７５２及び下壁７５３の前縁、並びに前壁７５４は、凹陥部７５の周囲の前面よりも前方に張り出す。凹陥部７５の側壁７５１及び上壁７５２は、後面側においても縁取りをなすように後方に突き出しているが、下壁７５３はそうではない。凹陥部７５の直下部分の後面は、凹陥部７５の前壁７５４に近づくように傾斜した傾斜面としてある。凹陥部７５の前壁７５４の後向面には、幅方向に亘って間欠的に複数本の突条７５５が存在する。突条７５５は、上下方向に延伸し、上方に向かって前後寸法が漸次小さくなるテーパ状をなす。前壁７５４の下方寄りの箇所には、締着具９７を挿通する挿通孔７５６を穿設している。加えて、凹陥部７５の上壁７５２と前壁７５４とが交差する入隅に、差込孔７５７を形成している。差込孔７５７は、凹陥部７５の前壁７５４の上縁部に連なり、そこから凹陥部７５の上壁７５２を上下に貫通する。
【００３０】
インナーシェル８は、クッションを装着した上に張材でくるんであり、アウターシェル７の前面側に取り付ける。アウターシェル７、インナーシェル８はそれぞれ、弾性変形可能な素材、例えばポリプロピレン製の一体成形品とする。
【００３１】
アウターシェル７の後面側には、背支桿上部５の挿入端５３を受容する摺接部材９を取り付ける。図６ないし図９に示しているように、摺接部材９は、左右の側壁９１、前壁９４、後壁９３及び上壁９２を有し、上方が閉塞され下方が開通した箱形をなすものである。この摺接部材９の側壁９１、前壁９４、後壁９３及び上壁９２が、背支桿上部５の挿入端５３を挿入するべき空洞部を囲う周壁となる。摺接部材９の内周面、特に前壁９４の後向面は、挿入端５３が摺動しやすいよう平滑な面とする。摺接部材９の外寸は、凹陥部７５の内寸に略対応する。そして、摺接部材９の内寸は、前後の奥行よりも左右の幅の方が大きい。摺接部材９の後壁９３の下端は前壁９４の下端よりも上方にあり、側壁９１の下端はそれらの下端同士を結ぶように傾斜している。前壁９４の下方寄りの箇所には、締着具９７を螺入せしめるナット孔９５を形成している。ナット孔９５の周壁は、ボス状に前方に突出する。加えて、上壁９２と前壁９４とが交差する出隅に、爪９６を設けている。この爪９６は、前壁９４の上縁部において前方に若干突き出し、かつ上壁９２よりも上方に延出している。摺接部材９は、アウターシェル７よりも固く、また摩擦係数の低い滑りのよい素材、例えばポリアセタール製の一体成形品とする。
【００３２】
背凭れ部材６を背支桿３に取り付ける手順を述べる。まず、アウターシェル７に摺接部材９を取り付ける。摺接部材９の爪９６を凹陥部７５の上縁部に収め、差込孔７５７に下方から差し込むと、摺接部材９の側壁９１の外側面が凹陥部７５の側壁７５１の内側面に当接し、摺接部材９の上壁９２の上向面が凹陥部７５の上壁７５２の下向面に当接し、摺接部材９の前壁９４の前向面が凹陥部７５の突条７５５に当接する。同時に、摺接部材９の前壁９４の下端が凹陥部７５の下壁７５３の上向面に当接ないし近接し、摺接部材９のナット孔９５が凹陥部７５の挿通孔７５６に臨む。この状態で、締着具９７を前方から挿通孔７５６に挿通し摺接部材９のナット孔９５に螺合緊締すれば、摺接部材９がアウターシェル７に固定される。その後、既知の適宜の手法を用いて、アウターシェル７の前面側にインナーシェル８を取り付ける。
【００３３】
次いで、背凭れ部材６の上方部位及び下方部位を、背支桿上部５、背支桿下部４にそれぞれ支持させる。背支桿上部５の挿入部５１の挿入端５３をアウターシェル７の上方部位の空洞部、換言すれば摺接部材９の内空に挿入し、背支桿下部４の被取付部４３の前面にアウターシェル７の取付部７４の後壁を臨ませた上、締着具７６を前方から挿通孔７４１に挿通し被取付部４３のナット孔に螺合緊締すれば、背凭れ部材６の背支桿３への取り付けが完了する。
【００３４】
図３に示しているように、本実施形態の椅子では、背支桿３が背凭れ部材６の後背、両幅の中央に立設している。背凭れ部材６の上方部位における、背支桿３を後に控えた中間領域Ｃの左右の領域Ｌ、Ｒは、撓み変形を通じて背支桿３と干渉することなく前後に変位することができる。
【００３５】
背凭れ部材６の後面側に固定した摺接部材９と、背支桿上部５の前面側に突設した挿入部５１との係わり合いは、背凭れ部材６の上方部位を上下スライド可能かつ前後離反不能に支持するスライド機構を構成する。図４、図５に示しているように、背支桿下部４を動かさず、背支桿上部５のみを軸４８回りに傾倒させた場合、背凭れ部材６は側面視弓なりに撓み変形し、その上方部位と下方部位との間にあるランバーサポート７１が前方に張り出す。この際、背凭れ部材６の上方部位は背支桿上部５に対して相対的に下方に変位し、挿入端５３は空洞部内を摺動して相対的に上方に変位する。背支桿上部５をさらに傾倒させ、その傾倒角度が所定の大きさに達するとき、図９に示すように、挿入端５３の上端が空洞部の底壁たる上壁９２に当接してそれ以上摺動できなくなる。結果、背支桿上部５のそれ以上の傾倒が阻まれる。即ち、スライド機構の構成要素である挿入部５１の一部と空洞部の周壁９の一部とが当接することで、背支桿上部５の傾倒を抑止するストッパ機能が営まれるのである。
【００３６】
図３に示しているように、上記のスライド機構は、背支桿３により後方から隠蔽される。背支桿上部５は、上方に向かって両幅が徐々に狭まるが、凹陥部７５の幅寸、摺接部材９の幅寸、挿入部５１の幅寸は背支桿上部５の両幅よりも小さく、摺接部材９や挿入部５１が背面視露骨に表出することはない。
【００３７】
本実施形態によれば、背凭れ面を形成する変形可能な背凭れ部材６を支持体３に支持させ、前記背凭れ部材６の上方部位に、後背に前記支持体３を配する中間領域Ｃと、中間領域Ｃの左方に連なり支持体３と干渉することなく前後に変位可能な左方領域Ｌと、中間領域Ｃの右方に連なり支持体３と干渉することなく前後に変位可能な右方領域Ｒとを設定した椅子を構成したため、背凭れ面の左方領域Ｌのみ、または右方領域Ｒのみを後方に変位させることが可能となる。そして、着座者が後ろを振り向く等の動きに追随して背凭れ面を変形させることができ、着座者の所作を徒に制限せずその身体を好適に支持し続ける良好な座り心地が実現される。背凭れ部材６に特段の伸縮性は要求されず、背凭れ部材６として樹脂成形部材や樹脂成形部材にウレタンクッションを取り付けたもの等を使用できる。従って、伸縮性に富む張材をフレームに張り付ける煩瑣な工程も省かれる。
【００３８】
前記背凭れ部材６に前後に離間した壁９３、９４に挟まれ上下に拡張した空洞部を設け、前記支持体３に前記空洞部に挿入される挿入端５３を有した挿入部５１を設けて、これら空洞部と挿入部５１との係合により背凭れ部材６と支持体３との離反を阻むようにしており、空洞部に挿入端５３を挿入する工数のみで、背凭れ部材６の中間領域Ｃを支持体３に支持させることができる。
【００３９】
前記支持体３が、前記背凭れ部材６の下方部位を支持する下部支持体４と、前記下部支持体４とは独立に傾倒可能であり背凭れ部材６の上方部位を支持する上部支持体５とを備えており、前記背凭れ部材６の下方部位を前記下部支持体４に固定するとともに、前記背凭れ部材６の上方部位に前記空洞部を設け、前記上部支持体５に前記挿入部５１を設けて、上部支持体５の傾倒時に前記挿入端５３が空洞部内を摺動することを通じて両者の相対的なスライドを許容するスライド機構を構成しているため、背凭れのチルト等の傾倒機能を実現することができる。
【００４０】
前記挿入端５３に、側面視前記空洞部の前壁９４に向けて膨出する曲面を成形しているため、上部支持体５の傾倒角度が変化するにつれて挿入端５３と空洞部の前壁９４との摺接点が変位し、適切に背凭れ部材６がスライドする。
【００４１】
前記上部支持体５を所定角度以上傾倒させたときに前記挿入部５１の一部が前記空洞部を囲う壁９の一部に当接するため、上部支持体５の傾倒する範囲を規制するストッパとなる。また、そのようなストッパ機能を具現する専用の部品を必要とせず、部品点数の徒な増大を招かない。
【００４２】
前記空洞部を前記背凭れ部材６に設ける場合において、背凭れ部材６よりも固く変形しにくい摺接部材９を背凭れ部材６に取り付け、この摺接部材９により空洞部の前壁９４を形成しているため、背凭れ部材６が着座者の荷重を受けて撓み変形するとしても空洞部の前壁９４は保形され、挿入端５３の摺動を妨げない。
【００４３】
前記他方よりも摩擦係数の低い摺接部材９を前記他方に取り付け、この摺接部材９により空洞部の前壁９４及び後壁９３を形成しているため、スライド機構における挿入端５３の円滑な摺動を担保できる。
【００４４】
前記摺接部材９が、左右の側壁９１と、両側壁９１の上端同士を連絡する底壁９２とを有し、それら側壁９１及び底壁９２がそれぞれ前記背凭れ部材６の凹陥部７５に接合しているため、摺接部材９の取り付けか強固になり、構造的に安定する。
【００４５】
前記空洞部を、前壁９４、後壁９３及び左右の側壁９１に包囲されかつその上端が上壁９２により閉塞されたものとし、前記挿入部５１を、前記上部支持体５に連接し前記背凭れ部材６に向けて突出する基端５２と、基端５２を足場にして上下に伸長する挿入端５３とを有し、その挿入端５３が下方から前記空洞部内に進入するものとしており、組立工程における手間が緩和される。
【００４６】
前記空洞部の内形について前後寸法よりも幅寸法の方を大きく設定し、前記挿入部５１の挿入端５３の外形について前後寸法よりも幅寸法の方を大きく設定しているため、背凭れ部材６が垂直軸回りに旋回するようなばたつき、がたつきを抑制できる。
【００４７】
前記空洞部及び前記挿入部５１が前記上部支持体５により後方から隠蔽されるため、スライド機構を露骨に表出させず、家具としての美観・格調を高めることができる。
【００４８】
前記挿入部５１を前記上部支持体５に一体成形しているため、椅子の組立工数の削減に資する。
【００４９】
なお、本発明は以上に詳述した実施形態に限られるものではない。列挙すると、背凭れ部材６におけるインナーシェル８及びクッション等は必須ではない。図１０に示す例は、アウターシェル７自体が直接着座者の身体を支持する背凭れ面を形成する実施態様である。この例では、背凭れ部材６の上方部位に成形している凹陥部７５は専ら後方に突出し、前方には突出しない。凹陥部７５は、側壁７５１、前壁７５４及び上壁７５２に加え、左右の側壁７５１の後縁同士を連絡する後壁７５８をも有している。凹陥部７５の上壁７５２の下向面には、上方に凹む差込孔７５７を形成する。また、摺接部材９は、側壁９１、前壁９４、上壁９２を有するが、後壁を有していない。摺接部材９を凹陥部７５に取り付けたとき、摺接部材９の側壁９１、前壁９４、上壁９２及び凹陥部７５の後壁７５８が空洞部を囲う周壁となる。
【００５０】
上部支持体５の傾倒する範囲を規制するストッパについても、上記実施態様とは異なる態様をとり得る。図１１に示す例では、上部支持体たる背支桿上部５を所定角度以上傾倒させたときに、挿入部５１の基部が空洞部の周壁９３に当接してストッパ機能を営む。要するに、挿入部５１の挿入端５３と空洞部の底壁９２とが当接してストッパとなるとは限られない。
【００５１】
図１２に示すように、挿入端７９を有する挿入部７７を背凭れ部材６に設け、挿入端７９が挿入される空洞部を背支桿３に設けることもできる。この例における挿入部７７は、背凭れ部材６の後面側に連接し後方に突出する基端７８と、基端５２を足場にして下方に伸長する挿入端７９とが側面視略Ｌ字形をなすものである。挿入端７９の後面は、側面視後方に膨出している。また、摺接部材９は、左右の側壁９１、前壁９４、後壁９３及び下壁９８を有し、下方が閉塞され上方が開通した箱形をなしており、背支桿上部５に設けた凹陥部５４に固定する。この摺接部材９の摺接部材９の側壁９１、前壁９４、後壁９３及び下壁９８が、挿入端７９を挿入するべき空洞部を囲う周壁となる。背支桿下部４を動かさず、背支桿上部５のみを軸４８回りに傾倒させた場合、背凭れ部材６の上方部位は背支桿上部５に対して相対的に下方に変位し、挿入端７９は空洞部内を摺動して相対的に下方に変位する。背支桿上部５をさらに傾倒させ、その傾倒角度が所定の大きさに達するとき、挿入端７９の下端が空洞部の底壁たる下壁９８に当接してそれ以上摺動できなくなる。
【００５２】
図１３に示すように、背凭れ部材６の上方部位を上部支持体５に固定し、背凭れ部材６の下方部位を下部支持体４にスライド機構を介してスライド可能に支持させるようにしてもよい。この例における挿入部７０は、背凭れ部材６のアウターシェル７の後面側に連接し後方に突出する基端７０１と、基端７０１を足場にして上方に伸長する挿入端７０２とが側面視略Ｌ字形をなすものである。また、摺接部材９は、左右の側壁９１、前壁９４、後壁９３及び上壁９２を有し、下方が閉塞され上方が開通した箱形をなしており、背支桿下部４の前面側に設けた凹陥部４０に固定する。この摺接部材９の摺接部材９の側壁９１、前壁９４、後壁９３及び上壁９２が、挿入端５３を挿入するべき空洞部を囲う周壁となる。背支桿下部４を動かさず、背支桿上部５のみを軸４８回りに傾倒させた場合、背凭れ部材６の下方部位は背支桿下部４に対して相対的に上方に変位し、挿入端７０２は空洞部内を摺動して相対的に上方に変位する。背支桿上部５をさらに傾倒させ、その傾倒角度が所定の大きさに達するとき、挿入端７０２の上端が空洞部の底壁たる上壁９２に当接してそれ以上摺動できなくなる。
【００５３】
スライド機構を複数設けてもよい。図１４に示す例では、背支桿上部５の上端部が幅方向に枝分かれし、その各枝と背凭れ部材６の上方部位との間にそれぞれスライド機構、即ち空洞部９と挿入部５１との組を介設している。このようなものであっても、背凭れ部材６が垂直軸回りに旋回するようなばたつき、がたつきを抑制できる。
【００５４】
あるいは、挿入部５１の挿入端５３を幅方向に間欠的に複数並列させ、これら挿入端５３を同一の空洞部に挿入するようにしても構わない。
【００５５】
挿入端５３の前面（または、挿入端７９の後面）を側面視空洞部の前壁９４（または、後壁９３）に向けて膨出させる替わりに、空洞部の前壁９４（または、後壁９３）を側面視挿入端５３（または、挿入端７９）に向けて膨出させてもよい。
【００５６】
摺接部材９もまた必須ではない。背凭れ部材６または支持体３に空洞部（及びその前壁、後壁、底壁等の周壁）を一体的に形成することを妨げない。
【００５７】
さらには、上部支持体５を下部支持体４とは独立に傾動可能とするチルト機能は必須ではなく、支持体３に対して背凭れ部材６を上下スライド可能とするスライド機構も必須ではない。
【００５８】
その他各部の具体的構成は、本発明の趣旨を逸脱しない範囲で種々変形が可能である。
【図面の簡単な説明】
【００５９】
【図１】本発明の一実施形態の椅子の側面図。
【図２】同椅子のリンク機構を示す（カバーを除いた）側面図。
【図３】同椅子の背面図。
【図４】同椅子のチルト動作を示す側面図。
【図５】図２に対応して、同椅子のチルト動作を示す側面図。
【図６】同椅子におけるアウターシェル、背支桿上部及び摺接部材を示す要部分解斜視図。
【図７】同椅子におけるアウターシェル、挿入端及び摺接部材を示す要部平端面図。
【図８】同椅子におけるアウターシェル、背支桿上部及び摺接部材を示す要部側断面図。
【図９】同椅子のチルト動作時の背凭れ部材の相対スライド移動を示す要部側断面図。
【図１０】本発明の変形例の一を示す要部側断面図。
【図１１】本発明の変形例の一を示す要部側断面図。
【図１２】本発明の変形例の一を示す要部側断面図。
【図１３】本発明の変形例の一を示す要部側面図。
【図１４】本発明の変形例の一を示す背面図。
【符号の説明】
【００６０】
３…支持体
４…下部支持体
５…上部支持体
５１…挿入部
６…背凭れ部材
９…摺接部材、空洞部の周壁
Ｃ…中間領域
Ｌ…左方領域
Ｒ…右方領域
【図１】
0005489090.tif 000002
【図２】
0005489090.tif 000003
【図３】
0005489090.tif 000004
【図４】
0005489090.tif 000005
【図５】
0005489090.tif 000006
【図６】
0005489090.tif 000007
【図７】
0005489090.tif 000008
【図８】
0005489090.tif 000009
【図９】
0005489090.tif 000010
【図１０】
0005489090.tif 000011
【図１１】
0005489090.tif 000012
【図１２】
0005489090.tif 000013
【図１３】
0005489090.tif 000014
【図１４】
0005489090.tif 000015